(57)【要約】【課題】移植時に植物が受けるストレスを軽減させ、移植後の植物の生長を促進できる植物生長促進方法を提供すること。又は、移植後の植物の活着率を向上させることが可能な植物生長促進方法を提供すること。【解決手段】植物生長促進方法は、直径１μｍ以下の気泡を含む水溶液を植物に接触させるバブル接触ステップと、気泡を含む水溶液に接触させられた植物を、移植先に植える植付ステップと、を備える。【選択図】図１
2019176805.tif 000002
【特許請求の範囲】
【請求項１】
直径１μｍ以下の気泡を含む水溶液を植物に接触させるバブル接触ステップと、
前記気泡を含む水溶液に接触させられた植物を、移植先に植える植付ステップと、
を備える
植物生長促進方法。
【請求項２】
前記気泡を含む水溶液の前記気泡の濃度は、２×１０７ｐａｒｔｉｃｌｅｓ／ｍｌ以上２×１０８ｐａｒｔｉｃｌｅｓ／ｍｌ以下である
請求項１に記載の植物生長促進方法。
【請求項３】
前記バブル接触ステップにおいて、前記植物は、前記気泡を含む水溶液に継続して５秒以上６０分以下接触させられる
請求項１又は２に記載の植物生長促進方法。
【請求項４】
前記バブル接触ステップにおいて、前記植物は、容器に溜められた前記気泡を含む水溶液に浸けられる
請求項１から３のいずれか１項に記載の植物生長促進方法。
【請求項５】
前記植付ステップは、前記バブル接触ステップが終了してから３日以内に前記植物を移植先に植えるステップである
請求項１から４のいずれか１項に記載の植物生長促進方法。
【請求項６】
前記バブル接触ステップは、前記植付ステップの後に開始し、前記植物の状態に関する指標が所定の条件を満たした場合に終了する
請求項１から４のいずれか１項に記載の植物生長促進方法。
【請求項７】
前記指標は、前記植物又は前記植物に接触させている前記気泡を含む水溶液の元素の濃度である
請求項６に記載の植物生長促進方法。
【請求項８】
前記元素は、カリウム、亜鉛、鉄、及びマンガンの少なくとも１つを含む
請求項７に記載の植物生長促進方法。
【請求項９】
前記指標は、前記植物のＳＰＡＤ値若しくはクロロフィル蛍光、又は前記植物近傍の二酸化炭素の濃度である
請求項６に記載の植物生長促進方法。
【請求項１０】
前記植物は、種子であり、
前記指標は、前記植物のスーパーオキシドアニオンラジカルの濃度である
請求項６に記載の植物生長促進方法。
【請求項１１】
前記植物が発芽した後に、前記気泡を含む水溶液を前記植物に接触させるバブル再接触ステップを備える
請求項１０に記載の植物生長促進方法。
【発明の詳細な説明】
【技術分野】
【０００１】
本発明は、植物生長促進方法に関する。
【背景技術】
【０００２】
植物の移植は、植物の生長に影響を及ぼすことがある。このため、移植後における植物の生長を促進する技術が知られている。例えば、特許文献１から３には、植物の生長を促進させるための技術の一例が記載されている。
【先行技術文献】
【特許文献】
【０００３】
【特許文献１】特開２０１５−２２１７６３号公報
【特許文献２】実開平７−１４８４５号公報
【特許文献３】特開２０１４−１１７１８９号公報
【発明の概要】
【発明が解決しようとする課題】
【０００４】
しかしながら、より容易に植物の生長を促進できる植物生長促進方法が求められている。
【０００５】
本開示は、上記の課題に鑑みてなされたものであって、移植時に植物が受けるストレスを軽減させ、移植後の植物の生長を促進できる植物生長促進方法を提供することを目的とする。又は、本開示は、移植後の植物の活着率を向上させることが可能な植物生長促進方法を提供することを目的とする。
【課題を解決するための手段】
【０００６】
上記の目的を達成するため、本開示の一態様の植物生長促進方法は、直径１μｍ以下の気泡を含む水溶液を植物に接触させるバブル接触ステップと、前記気泡を含む水溶液に接触させられた植物を、移植先に植える植付ステップと、を備える。
【０００７】
なお、上記の植物生長促進方法の望ましい態様として、前記気泡を含む水溶液の前記気泡の濃度は、２×１０７ｐａｒｔｉｃｌｅｓ／ｍｌ以上２×１０８ｐａｒｔｉｃｌｅｓ／ｍｌ以下である。
【０００８】
なお、上記の植物生長促進方法の望ましい態様として、前記バブル接触ステップにおいて、前記植物は、前記気泡を含む水溶液に継続して５秒以上６０分以下接触させられる。
【０００９】
なお、上記の植物生長促進方法の望ましい態様として、前記バブル接触ステップにおいて、前記植物は、容器に溜められた前記気泡を含む水溶液に浸けられる。
【００１０】
なお、上記の植物生長促進方法の望ましい態様として、前記植付ステップは、前記バブル接触ステップが終了してから３日以内に前記植物を移植先に植えるステップである。
【００１１】
なお、上記の植物生長促進方法の望ましい態様として、前記バブル接触ステップは、前記植付ステップの後に開始し、前記植物の状態に関する指標が所定の条件を満たした場合に終了する。
【００１２】
なお、上記の植物生長促進方法の望ましい態様として、前記指標は、前記植物又は前記植物に接触させている前記気泡を含む水溶液の元素の濃度である。
【００１３】
なお、上記の植物生長促進方法の望ましい態様として、前記元素は、カリウム、亜鉛、鉄、及びマンガンの少なくとも１つを含む。
【００１４】
なお、上記の植物生長促進方法の望ましい態様として、前記指標は、前記植物のＳＰＡＤ値若しくはクロロフィル蛍光、又は前記植物近傍の二酸化炭素の濃度である。
【００１５】
なお、上記の植物生長促進方法の望ましい態様として、前記植物は、種子であり、前記指標は、前記植物のスーパーオキシドアニオンラジカルの濃度である。
【００１６】
なお、上記の植物生長促進方法の望ましい態様として、前記植物が発芽した後に、前記気泡を含む水溶液を前記植物に接触させるバブル再接触ステップを備える。
【発明の効果】
【００１７】
本開示の植物生長促進方法によれば、容易に移植後の植物活着率の向上および生長の促進ができる。
【図面の簡単な説明】
【００１８】
【図１】図１は、実施形態の植物生長促進方法を示すフローチャートである。
【図２】図２は、実施形態のバブル接触ステップを示す模式図である。
【図３】図３は、実施形態のバブル接触ステップを示す模式図である。
【図４】図４は、比較例の方法を用いて移植した植物の生長状況を示す図である。
【図５】図５は、実施形態の植物生長促進方法を用いて移植した植物の生長状況を示す図である。
【図６】図６は、比較例と実施形態の平均地上部生重量を比較したグラフである。
【図７】図７は、第１変形例の植物生長促進方法を示すフローチャートである。
【図８】図８は、第１変形例のバブル接触ステップを示す模式図である。
【図９】図９は、第２変形例の植物生長促進方法を示すフローチャートである。
【図１０】図１０は、第２変形例のバブル接触ステップを示す模式図である。
【発明を実施するための形態】
【００１９】
以下、本発明につき図面を参照しつつ詳細に説明する。なお、本発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００２０】
（実施形態）
図１は、実施形態の植物生長促進方法を示すフローチャートである。図２は、実施形態のバブル接触ステップを示す模式図である。図３は、実施形態のバブル接触ステップを示す模式図である。本実施形態の植物生長促進方法は、植物１の移植後の植物活着率を向上させ、生長を促進するための方法である。植物生長促進方法は、例えば、植物１を移植する時に用いられる。このため、本実施形態において以下で説明する方法は、植物移植方法ということもできる。
【００２１】
図１に示すように、植物生長促進方法において、植物１が移植元から取り出される（掘取ステップＳ１１）。植物１は、根、茎、葉、花芽、葉芽、幹及び枝の少なくとも１つを有する。植物１は、根の呼吸等のガス交換に必要な酸素若しくは二酸化炭素等の気体、又は水分及び栄養分を、植物１に供給すると共に植物１を支持する媒体に接している。移植元の当該媒体は、地面から採取後に調整を行っていない土壌である表土、地面から採取後に植物栽培に適した物理化学条件になるように調整を行った土壌である培養土、砂又はバーミキュライト等の粒子状鉱物、粒子状のサンゴ等の粒子状生物由来物質、ろ紙、キムワイプ、ティッシュ、綿、布及び樹木等由来の繊維状物質、寒天又はゼラチン等のゲル状物質、及び培養土吹付に用いられる無機質固化材又は高分子系接合剤、の少なくとも１つを含む。以下の説明では、移植元の媒体の代表例として表土を用いて説明する。植物１は、根の周りの表土と共に取り出される。取り出された植物１の根及び表土は、被覆材３によって覆われる。被覆材３は、透水性を有する材料で形成されている。透水性を有する材料としては、例えば麻、パルプ、分解性ポリマー又は動物繊維等である。
【００２２】
掘取ステップＳ１１の後、ウルトラファインバブル水に植物１が接触させられる（バブル接触ステップＳ１２）。バブル接触ステップＳ１２において、図２に示すように、植物１は、容器４に溜められたウルトラファインバブル水に浸けられる。複数の植物１がウルトラファインバブル水に浸けられてもよい。なお、植物１の根、茎、葉、花芽、葉芽、幹及び枝の少なくとも１つが、ウルトラファインバブル水に浸けられればよい。なお、ウルトラファインバブル水とは、直径１μｍ以下の気泡を含む水溶水、いわゆるウルトラファインバブルを含む水溶液である。ウルトラファインバブルは、直径１μｍ以下、好ましくは１ｎｍ以上１μｍ以下、さらに好ましくは３０ｎｍ以上４００ｎｍ以下の気泡である。ウルトラファインバブル水のウルトラファインバブルの濃度は、２×１０７ｐａｒｔｉｃｌｅｓ／ｍｌ以上であることが好ましい。ウルトラファインバブル水のウルトラファインバブルの濃度は、２×１０８ｐａｒｔｉｃｌｅｓ／ｍｌ以下であることが好ましい。ウルトラファインバブルの濃度とは、単位体積あたりの水に存在するウルトラファインバブルの数である。ウルトラファインバブルの濃度が２×１０７ｐａｒｔｉｃｌｅｓ／ｍｌであることは、１ｍｌのウルトラファインバブル水に２×１０７個のウルトラファインバブルが存在することを意味する。ウルトラファインバブルの濃度は、日本カンタム・デザイン株式会社製のナノ粒子解析システム“NanoSight”、株式会社島津製作所製のナノ粒子径分布測定装置“SALD-7500nano”等で測定することができる。
【００２３】
ウルトラファインバブルの濃度が２×１０７ｐａｒｔｉｃｌｅｓ／ｍｌ未満では、植物１がウルトラファインバブルに接触しにくく、生長促進の効果が得られにくい。ウルトラファインバブルの濃度が２×１０８ｐａｒｔｉｃｌｅｓ／ｍｌより高いと、ウルトラファインバブル水における反応性の高い酸素濃度が上昇し、植物細胞が損傷されやすくなり、生長が抑制されてしまう。なお、ウルトラファインバブル水は、ウルトラファインバブルの他に、養分を含んでいてもよい。養分としては、窒素、リン、カリウム、カルシウム、マグネシウム、鉄、硫黄、マンガン、ホウ素、亜鉛、銅、及びモリブデンなどがある。
【００２４】
容器４のウルトラファインバブル水は、ウルトラファインバブル水供給装置５１から供給される。ウルトラファインバブル水供給装置５１は、例えばタンク及びポンプ等を備えており、ウルトラファインバブル水を貯留し所望の場所に送ることができる。ウルトラファインバブル水供給装置５１は、水源５３と、気体源５５と、に接続される。水源５３は、例えば水道又は井戸等であって、ウルトラファインバブル水供給装置５１に水を供給する。気体源５５は、所定の気体を貯留したタンクであって、ウルトラファインバブル水供給装置５１に所定の気体を供給する。なお、空気を供給する場合は、タンクの代わりにエアーポンプを設けてもよい。所定の気体は、例えば、空気、二酸化炭素（ＣＯ２）、窒素（Ｎ２）又は水素（Ｈ２）等であるが、特に限定されない。ウルトラファインバブル水供給装置５１は、水源５３から送られる水と、気体源５５から送られる気体と、を用いてウルトラファインバブル水を生成し貯留する。ウルトラファインバブル水供給装置５１は、公知の方法によってウルトラファインバブル水を生成する。ウルトラファインバブル水の生成方法としては、例えば、ポンプ又は攪拌機等を用いて流体の流れを作り、その中にガスを取り込み、スタティックミキサー、エジェクター、ベンチュリー等の各装置及び各器具の中をガスを含む流体を高速で通過させることで内部のガスを微粒子化してファインバブルを発生させる方法がある。また、容器内に流体を入れ、スタティックミキサー、エジェクター、ベンチュリー等の各種装置を通過させたガスを流体中に放出する方法等がある。前者としては、旋回流方式、スタティックミキサー方式、エジェクター方式、ベンチュリー方式、加圧溶解方式、及びキャビテーション方式がある。後者としては、細孔方式、超細孔方式、攪拌機等の回転体を入れてバブルを発生させる回転方式、超音波方式、パルス磁場印加方式等がある。容器４のウルトラファインバブル水は、容器４に植物１が入れられる前に予め容器４に溜められていてもよいし、容器４に植物１が入れられてから容器４に供給されてもよい。
【００２５】
バブル接触ステップＳ１２において、植物１は、必ずしも容器４に溜められたウルトラファインバブル水に入れられなくてもよい。例えば、図３に示すように、ウルトラファインバブル水供給装置５１から供給されたウルトラファインバブル水が、植物１に暴露されてもよい。暴露方法としては、滴下、噴霧等がある。
【００２６】
バブル接触ステップＳ１２が開始した後、植物がウルトラファインバブル水に継続して所定の時間接触した場合（判定ステップＳ１３、Ｙｅｓ）、ウルトラファインバブル水と植物１との接触が終了する（接触終了ステップＳ１４）。例えば、植物１が容器４から取り出される。又は、容器４のウルトラファインバブル水が抜かれてもよい。使用済みのウルトラファインバブル水は、他の植物１には使用されない。例えば、接触終了ステップＳ１４の後、使用済みのウルトラファインバブル水は、廃棄される。例えば、所定の時間は、５秒以上６０分以下、又は３０秒以上３０分以下であることが好ましい。植物１にウルトラファインバブル水を暴露する時間が短いと、ウルトラファイン水に含まれる気泡と植物１が接触せず、植物１の生長促進効果が得られにくい。また、植物１にウルトラファインバブル水を暴露する時間が長すぎると、ウルトラファインバブル水に含まれる溶存酸素濃度が低減してしまい、植物１が枯れてしまう。
【００２７】
接触終了ステップＳ１４の後、植物１が移植先に３日以内に植え付けられる（植付ステップＳ１５）。移植先は、根の呼吸等のガス交換に必要な酸素若しくは二酸化炭素等の気体、又は水分及び栄養分を、植物１に供給すると共に植物１を支持する媒体である。当該媒体は、表土、地面から採取後に調整を行っていない土壌、地面から採取後に植物栽培に適した物理化学条件になるように調整を行った培養土、砂又はバーミキュライト等の粒子状鉱物、粒子状のサンゴ等の粒子状生物由来物質、樹木等由来の繊維状物質、寒天又はゼラチン等のゲル状物質、及び培養土吹付に用いられる無機質固化材又は高分子系接合剤、の少なくとも１つを含む。
【００２８】
以上で説明したように、実施形態の植物生長促進方法は、直径１μｍ以下の気泡を含む水溶液を植物１に接触させるバブル接触ステップＳ１２と、気泡を含む水溶液（ウルトラファインバブル水）に接触させられた植物を、移植先に植える植付ステップＳ１５と、を備える。
【００２９】
ウルトラファインバブルの接触は植物１においてストレスであり、植物１は、ウルトラファイバブル水に含まれる活性酸素種（Ｒｅａｃｔｉｖｅ  Ｏｘｙｇｅｎ  Ｓｐｅｃｉｅｓ;ＲＯＳともいう。）の影響を受ける。活性酸素種としては、ヒドロキシルラジカル、スーパーオキシドアニオンラジカル、ヒドロペルオキシルラジカル、一重項酸素、過酸化水素等がある。植物１周辺における活性酸素種の濃度が増加すると、グルコースを代謝する一次代謝より、二次代謝の方が優先的に行われる。二次代謝の生成物には、発根を誘発させる物質が含まれる場合があるため、ウルトラファイバブルの接触により、植物１の活着及び生長が促進される。したがって、植物生長促進方法は、特殊な容器又は薬剤を用いずとも、植物の生長を容易に促進できる。
【００３０】
例えば、植物生長促進方法によれば、植物１に負担がかかる移植の後においても、植物１の活着が促進し且つ植物１の生長速度が向上される。植物生長促進方法によれば、移植後の植物１の枯死率を低減させることができる。植物生長促進方法によれば、病害虫に対する抵抗性を植物１に付与することができる。植物生長促進方法によれば、希少植物を用いた緑化、及び希少植物の移植の成功確率を向上させることができる。植物生長促進方法によれば、特殊な薬剤を用いる必要がないため、化学物質の環境への曝露を抑制することができる。
【００３１】
本実施形態の植物生長促進方法において、気泡を含む水溶液（ウルトラファインバブル水）の気泡の濃度は、２×１０７ｐａｒｔｉｃｌｅｓ／ｍｌ以上２×１０８ｐａｒｔｉｃｌｅｓ／ｍｌ以下である。これにより、ウルトラファインバブルによる植物１の生長促進効果がより向上する。
【００３２】
本実施形態の植物生長促進方法において、バブル接触ステップＳ１２において、植物１は、気泡を含む水溶液（ウルトラファインバブル水）に継続して５秒以上６０分以下接触させられる。これにより、ウルトラファインバブルによる植物１の生長促進効果がより向上する。
【００３３】
本実施形態の植物生長促進方法において、バブル接触ステップＳ１２において、植物１は、容器４に溜められた気泡を含む水溶液（ウルトラファインバブル水）に浸けられる。これにより、ウルトラファインバブルによる植物１の生長促進効果がより向上する。
【００３４】
本実施形態の植物生長促進方法において、植付ステップＳ１５は、バブル接触ステップＳ１２が終了してから３日以内に植物１を移植先に植えるステップである。これにより、ウルトラファインバブルによる植物１の生長促進効果が弱まる前に、植物１を移植先に植えることができる。
【００３５】
（実施例）
図４は、比較例の方法を用いて移植した植物の生長状況を示す図である。図５は、実施形態の植物生長促進方法を用いて移植した植物の生長状況を示す図である。図６は、比較例と実施形態の平均地上部生重量を比較したグラフである。
【００３６】
比較例の方法は、上述したバブル接触ステップＳ１２から接触終了ステップＳ１４を備えない。すなわち、比較例の方法は、ウルトラファインバブル水を用いずに植物１を移植する方法である。比較例の方法を用いた実験と、実施形態の植物生長促進方法を用いた実験とが行われた。実験では、植物１として１０株のハクサンハタザオの苗が用いられた。図４及び図５は、移植されてから２７日目のハクサンハタザオを示す。図６の縦軸は、移植されてから２７日目の１０株のハクサンハタザオの平均地上部生重量である。図６の棒グラフが平均地上部生重量である。地上部生重量は、根を含まず、茎および葉の部分の重量であり、水を含んだ重量である。平均地上部生重量は、１０株のハクサンハタザオの地上部生重量の和を１０で除した値である。図６の棒グラフに重なる縦線の上端は、１０株のハクサンハタザオのうち最も重いものの重量である。図６の棒グラフに重なる縦線の下端は、１０株のハクサンハタザオのうち最も軽いものの重量である。
【００３７】
図４に示すように、比較例の方法を用いて移植した場合、１０株のハクサンハタザオのうち４株のハクサンハタザオにおいて、活着不良による生長遅延が生じた。生長遅延が生じたハクサンハタザオは、図４の矢印で示されている。図６に示すように、比較例の方法を用いて移植した場合、１０株のハクサンハタザオの平均地上部生重量は、５．３ｇであった。１０株のハクサンハタザオのうち最も重いものと最も軽いものとの差は、約６．２ｇであった。
【００３８】
これに対して、図５に示すように、実施形態の植物生長促進方法を用いた場合、１０株のハクサンハタザオのうち生長遅延が生じたものはなかった。図６に示すように、実施形態の植物生長促進方法を用いた場合、１０株のハクサンハタザオの平均地上部生重量は、８．１ｇであった。このことから、実施形態の植物生長促進方法によってハクサンハタザオの生長が促進されていることがわかる。また、１０株のハクサンハタザオのうち最も重いものと最も軽いものとの差は、約２．２ｇであった。このことから、実施形態の植物生長促進方法によって、ハクサンハタザオの生長のばらつきが抑制されていることがわかる。
【００３９】
なお、上述したハクサンハタザオは、植物１の一例である。植物生長促進方法は、ハクサンハタザオ以外の植物に対しても生長を促進させることができる。また、植物生長促進方法が適用される植物１は、根、茎、葉、花芽、葉芽、幹及び枝の少なくとも１つを備えていなくてもよく、種子等であってもよい。
【００４０】
（第１変形例）
図７は、第１変形例の植物生長促進方法を示すフローチャートである。図８は、第１変形例のバブル接触ステップを示す模式図である。なお、上述した実施形態で説明したものと同じ構成要素には同一の符号を付して重複する説明は省略する。
【００４１】
図７に示すように、第１変形例の植物生長促進方法において、植物１が移植元から取り出される（掘取ステップＳ２１）。植物１は、根、茎、葉、花芽、葉芽、幹及び枝の少なくとも１つを有する。移植元は、上述した、根の呼吸等のガス交換に必要な酸素若しくは二酸化炭素等の気体、又は水分及び栄養分を植物に供給すると共に植物１を支持する媒体を適宜用いることができる。
【００４２】
掘取ステップＳ２１の後、植物１が移植先に植え付けられる（植付ステップＳ２２）。移植先は、上述した、根の呼吸等のガス交換に必要な酸素若しくは二酸化炭素等の気体、又は水分及び栄養分を植物１に供給すると共に植物１を支持する媒体を適宜用いることができる。
【００４３】
植付ステップＳ２２の後、ウルトラファインバブル水に植物１が接触させられる（バブル接触ステップＳ２３）。バブル接触ステップＳ２３において、図８に示すように、ウルトラファインバブル水が、植物１の移植先の表土に供給される。これにより、ウルトラファインバブル水が植物１に接する。
【００４４】
バブル接触ステップＳ２３が開始した後、植物１の状態に関する指標が所定の条件を満たす場合（判定ステップＳ２４、Ｙｅｓ）、ウルトラファインバブル水と植物１との接触が終了する（接触終了ステップＳ２５）。接触終了ステップＳ２５において、ウルトラファインバブル水供給装置５１から移植先の表土へのウルトラファインバブル水の供給が停止する。植物１の状態に関する指標は、例えば、植物１の元素の濃度又はＳＰＡＤ値である。植物１に含まれる元素は、カリウム、亜鉛、鉄、及びマンガンの少なくとも１つを含む。ウルトラファインバブルが植物１と接することにより、水溶液中に含まれる元素が植物１に吸収されやすくなる。植物１に含まれる元素の濃度が上昇するので、元素の濃度を指標の１つとすることができる。また、水溶液中の元素の濃度の変化でも植物１に吸収された状況を判断できるため、水溶液中の元素の濃度を指標の一とすることができる。さらに、ウルトラファインバブルが植物１と接することにより、光合成が促進され、植物１に含まれる葉緑素含有量が増加する。このため、植物１のＳＰＡＤ値若しくはクロロフィル蛍光、又は植物１の近傍の二酸化炭素の濃度等を指標の１つとすることができる。
【００４５】
植物１及び水溶液中の元素の濃度は、分光光度計原子吸光光度計、ＩＣＰ発光分光光度計、ＩＣＰ質量分析計、蛍光Ｘ線分析装置、Ｘ線回折装置、紫外可視分光光度計、パックテスト等によって測定される。例えば、植物１の体内の元素の濃度が所定の閾値を超えた場合に、ウルトラファインバブル水と植物１との接触が終了する（接触終了ステップＳ２５）。
【００４６】
植物１のＳＰＡＤ値は、葉緑素含有量を示す値である。ＳＰＡＤ値は、葉緑素計によって測定される。ＳＰＡＤ値は、コニカミノルタジャパン株式会社製葉緑素計“SPAD-502Plus”等で測定することができる。植物１のクロロフィル蛍光及び植物１の近傍の二酸化炭素の濃度は、メイワフォーシス株式会社製の植物光合成総合解析システムLI-6800等で測定することができる。例えば、植物１のＳＰＡＤ値の所定時間内での変化量が所定の閾値を超えた場合に、ウルトラファインバブル水と植物１との接触が終了する（接触終了ステップＳ２５）。
【００４７】
なお、バブル接触ステップＳ２３から接触終了ステップＳ２５は、必ずしも植付ステップＳ２２の後でなくてもよい。例えば、バブル接触ステップＳ２３から接触終了ステップＳ２５は、掘取ステップＳ２１と植付ステップＳ２２との間にあってもよい。この場合、上述したバブル接触ステップＳ１２と同様の方法で、植物１がウルトラファインバブル水に接触させられる。又は、バブル接触ステップＳ２３から接触終了ステップＳ２５は、掘取ステップＳ２１よりも前にあってもよい。この場合、植物１が植えられた移植元の表土にウルトラファインバブル水が供給される。
【００４８】
以上で説明したように、第１変形例の植物生長促進方法において、バブル接触ステップＳ２３は、植付ステップＳ２２の後に開始し、植物１の状態に関する指標が所定の条件を満たした場合に終了する。これにより、植物１に対するウルトラファインバブルの過剰な供給が抑制される。
【００４９】
第１変形例の植物生長促進方法において、指標は、植物１又は植物１に接触させている気泡を含む水溶液（ウルトラファインバブル水）の元素の濃度である。これにより、植物１の状態を、バブル接触ステップＳ２３を終了するタイミングに、より正確に反映させることが可能になる。すなわち、より適切なタイミングでバブル接触ステップＳ２３を終了することが可能になる。
【００５０】
第１変形例の植物生長促進方法において、元素は、カリウム、亜鉛、鉄、及びマンガンの少なくとも１つを含む。これにより、植物１の状態を、バブル接触ステップＳ２３を終了するタイミングに、より正確に反映させることが可能になる。すなわち、より適切なタイミングでバブル接触ステップＳ２３を終了することが可能になる。
【００５１】
第１変形例の植物生長促進方法において、指標は、植物１のＳＰＡＤ値若しくはクロロフィル蛍光、又は植物１の近傍の二酸化炭素の濃度である。これにより、植物１の状態を、バブル接触ステップＳ２３を終了するタイミングに、より正確に反映させることが可能になる。すなわち、より適切なタイミングでバブル接触ステップＳ２３を終了することが可能になる。
【００５２】
（第２変形例）
図９は、第２変形例の植物生長促進方法を示すフローチャートである。図１０は、第２変形例のバブル接触ステップを示す模式図である。なお、上述した実施形態で説明したものと同じ構成要素には同一の符号を付して重複する説明は省略する。
【００５３】
第２変形例の植物生長促進方法が適用される植物２は、例えば種子である。図９に示すように、ウルトラファインバブル水に植物２が接触させられる（バブル接触ステップＳ３１）。バブル接触ステップＳ３１において、図１０に示すように、ウルトラファインバブル水は、植物２が植えられた表土に供給される。これにより、ウルトラファインバブル水が植物２に接する。
【００５４】
バブル接触ステップＳ３１が開始した後、植物２の状態に関する第１指標が所定の条件を満たす場合（判定ステップＳ３２、Ｙｅｓ）、ウルトラファインバブル水と植物２との接触が終了する（接触終了ステップＳ３３）。接触終了ステップＳ３３において、ウルトラファインバブル水供給装置５１から表土へのウルトラファインバブル水の供給が停止する。第１指標は、例えば、植物２のスーパーオキシドアニオンラジカルの濃度である。スーパーオキシドアニオンラジカルは、活性酸素の一種である。例えば、植物２の体内のスーパーオキシドアニオンラジカルの濃度が所定の閾値を超えた場合に、ウルトラファインバブル水と植物２との接触が終了する（接触終了ステップＳ３３）。
【００５５】
接触終了ステップＳ３３の後、植物２が発芽した場合（判定ステップＳ３４、Ｙｅｓ）、再びウルトラファインバブル水に植物２が接触させられる（バブル再接触ステップＳ３５）。すなわち、ウルトラファインバブル水の表土への供給が再開される。
【００５６】
バブル再接触ステップＳ３５が開始した後、植物２の状態に関する第２指標が所定の条件を満たす場合（判定ステップＳ３６、Ｙｅｓ）、ウルトラファインバブル水と植物２との接触が終了する（接触終了ステップＳ３７）。第２指標は、例えば、第１変形例で説明した植物２の元素の濃度、水溶液中の元素の濃度、植物１のＳＰＡＤ値若しくはクロロフィル蛍光、又は植物１の近傍の二酸化炭素の濃度等である。
【００５７】
第２変形例の植物生長促進方法において、植物２は、種子である。指標（第１指標）は、植物２のスーパーオキシドアニオンラジカルの濃度である。これにより、植物２の状態を、バブル接触ステップＳ３１を終了するタイミングに、より正確に反映させることが可能になる。
【００５８】
第２変形例の植物生長促進方法は、植物２が発芽した後に、気泡を含む水溶液（ウルトラファインバブル水）を植物２に接触させるバブル再接触ステップＳ３５を備える。これにより、植物２の発根が促進される。また、ウルトラファインバブル水の供給が一旦停止されてから再開されるので、植物２に対するウルトラファインバブルの過剰な供給が抑制される。
【００５９】
この後、上記実施形態に示す植物１が移植元である媒体から取り出され（図１の掘取ステップＳ１１）、植物１が移植先に３日以内に植え付けられてもよい（図１の植付ステップＳ１５）すなわち、図９に示す発芽処理を行った後、移植処理を行ってもよい。
【符号の説明】
【００６０】
１  植物
３  被覆材
４  容器
５１  ウルトラファインバブル水供給装置
５３  水源
５５  気体源
Ｓ１１  掘取ステップ
Ｓ１２  バブル接触ステップ
Ｓ１４  接触終了ステップ
Ｓ１５  植付ステップ
Ｓ２１  掘取ステップ
Ｓ２２  植付ステップ
Ｓ２３  バブル接触ステップ
Ｓ２５  接触終了ステップ
Ｓ３１  バブル接触ステップ
Ｓ３３  接触終了ステップ
Ｓ３５  バブル再接触ステップ
Ｓ３７  接触終了ステップ
【図１】
2019176805.tif 000003
【図２】
2019176805.tif 000004
【図３】
2019176805.tif 000005
【図４】
2019176805.tif 000006
【図５】
2019176805.tif 000007
【図６】
2019176805.tif 000008
【図７】
2019176805.tif 000009
【図８】
2019176805.tif 000010
【図９】
2019176805.tif 000011
【図１０】
2019176805.tif 000012